(57)【要約】【課題】迅速かつ低コストで大量のくらげが処理できるくらげ放流システムを提供する。【解決手段】海から取水路を介して搬送された異物を除去する除塵機１２と、除塵機１２によって除去された異物を水流とともに搬送する異物搬送水路１４と、異物搬送水路１４によって搬送された異物を海水とともに貯留し、貯留された海水内において、異物として搬送されたくらげが上方に浮揚し、浮揚性のない異物が下方に沈むことで、異物からくらげを分離する貯留槽１６と、貯留槽１６の上部に設けられ、水面付近の海水及びくらげを排出させる放出溝３０と、放出溝３０から排出された海水及びくらげを外部に放流する搬送水路２０及び放流路２４を備える。【選択図】図２
2010270560.tif 000002
【特許請求の範囲】
【請求項１】
取水路を介して搬送された海水から異物を除去する除塵機と、
当該除塵機によって除去された異物を、所定方向に流れる海水によって搬送する第１水路と、
当該第１水路によって搬送された異物を海水とともに貯留し、貯留された海水内において異物に含まれるくらげが上方に浮かぶことで、異物からくらげが分離される貯留槽と、
当該貯留槽の上部に設けられ、貯留された海水の上部に浮いているくらげを放出させる放出部と、
当該放出部から放出されたくらげを海に放流する第２水路とを備えたことを特徴とするくらげ放流システム。
【請求項２】
前記貯留槽の上部に設けられ、くらげの移動を規制しかつ前記貯留槽の海水を放出させるフィルタ部と、を備えたことを特徴とする請求項１記載のくらげ放流システム。
【請求項３】
上下方向に移動可能であって、前記第２水路を開状態とする開位置と、閉状態とする閉位置とに移動可能なゲートと、
前記ゲートの位置を切り換えて、前記第２水路の開放量を調整する調整機構と、
前記ゲートの近傍に設けられ、前記ゲートの上流側における所定領域に対して水を噴出させるスプレー装置とを備え、
前記調整機構は、前記第２水路における水流の上面より下方に前記ゲートの端部が位置するよう前記ゲートの位置を調整可能であることを特徴とする請求項１又は２記載のくらげ放流システム。
【請求項４】
取水路を介して搬送された海水から除塵機によって除去された異物を、所定方向に流れる海水によって貯留槽に搬送し、
当該貯留槽において、搬送された異物を水とともに貯留するとともに、貯留された海水内において異物に含まれるくらげが上方に浮かぶことで、異物からくらげが分離され、
前記貯留槽に貯留された海水の上部に浮いているくらげを放出させて海に放流することを特徴とするくらげ放流方法。
【発明の詳細な説明】
【技術分野】
【０００１】
本発明は、海から取水した海水に含まれるくらげを取り出して海に戻すくらげ放流システム及びくらげ放流方法に関する。
【背景技術】
【０００２】
従来より、海水を発電設備等に供給する際に、海水に含まれている異物、例えば、くらげや魚介類を除去するために除塵機が設けられている。この除塵機により異物が除去された海水が発電設備に供給されるようになる。
また、除去された異物の処理方法についても、従来より各種の技術が提案されている。例えば、電気分解処理によってくらげ水化水を浄化して放流するという技術が提案されている（特許文献１）。
【先行技術文献】
【特許文献】
【０００３】
【特許文献１】特開２００２−２３９５１９号公報
【発明の概要】
【発明が解決しようとする課題】
【０００４】
ところで、くらげの大量発生という出来事が起こった場合には、除塵機によって大量のくらげが除去される場合がありうる。この場合、除去した大量のくらげをどのように処理するかが問題となるが、できるだけ迅速かつ低コストで大量のくらげが処理できるようなシステムであることが望ましい。また、海から採取された物は、そのままの状態で海に返すことが望ましい。
【０００５】
本発明は、このような課題に対して鑑みなされたものであり、コストや自然環境に配慮したくらげ放流システム及びくらげ放流方法を提供することを目的とする。
【課題を解決するための手段】
【０００６】
前記目的を達成するため、本発明は、次に記載する構成を備えたものとする。
【０００７】
（１）  取水路を介して搬送された海水から異物を除去する除塵機と、当該除塵機によって除去された異物を、所定方向に流れる海水によって搬送する第１水路と、当該第１水路によって搬送された異物を海水とともに貯留し、貯留された海水内において異物に含まれるくらげが上方に浮かぶことで、異物からくらげが分離される貯留槽と、当該貯留槽の上部に設けられ、貯留された海水の上部に浮いているくらげを放出させる放出部と、当該放出部から放出されたくらげを海に放流する第２水路とを備えたことを特徴とするくらげ放流システム。
【０００８】
（１）のくらげ放流システムによれば、除塵機によって除去された異物を海水によって貯留槽に搬送することにより、異物として除去されたくらげを生きた状態で貯留槽に送ることが可能になる。また、貯留槽において生きたくらげは浮かび、石や貝などは貯留槽内部に沈むことによってくらげが異物から分離され、貯留槽内の海水の上部に浮かぶ生きたくらげが放出部及び第２水路を通って海に放流されるようになる。したがって、例えば、くらげが大量発生して、取水路から大量のくらげを取り込んでしまい、貯留槽に大量のくらげが搬送された場合に、生きたくらげを生きたまま海に帰すことにより、貯留槽にくらげを大量にかかえてしまうといった事態を回避することが可能になる。しかも、くらげの処理に特別な装置を設ける必要がないため低コスト化を図ることが可能になる。このように、迅速かつ低コストで大量のくらげを処理することが可能になる。
【０００９】
（２）  （１）において、前記貯留槽の上部に設けられ、くらげの移動を規制しかつ前記貯留槽の海水を放出させるフィルタ部と、を備えたことを特徴とするくらげ放流システム。
【００１０】
（２）によれば、貯留槽に大量のくらげが搬送された場合に、フィルタ部においてくらげの移動が規制され、海水のみが通過するとともに、くらげは放出部を移動するようになる。これにより、貯留槽内の水位が、放出部を越えた場合には、フィルタ部から海水が放出される。その結果、貯留槽内の水位を安定させることが可能となる。また、くらげは放流部を通るようになり、第２水路へ確実に移送することが可能になる。
【００１１】
（３）  （１）、（２）において、上下方向に移動可能であって、前記第２水路を開状態とする開位置と、閉状態とする閉位置とに移動可能なゲートと、前記ゲートの位置を切り換えて、前記第２水路の開放量を調整する調整機構と、前記ゲートの近傍に設けられ、前記ゲートの上流側における所定領域に対して水を噴出させるスプレー装置とを備え、前記調整機構は、前記第２水路における水流の上面より下方に前記ゲートの端部が位置するよう前記ゲートの位置を調整可能であることを特徴とするくらげ放流システム。
【００１２】
（３）によれば、くらげから発生する茶色い泡は消滅しにくく、しかもその泡はゲートに向かって水流によって搬送されるが、その際、くらげから発生する泡の移動がゲートによって規制されるため、ゲート付近に泡を集めることが可能となる。さらに、ゲートの近傍に設けられたスプレー装置によって、水を泡に向かって噴霧することにより、海に放流する前に泡を効率的に消滅させることが可能になる。これにより、くらげ以外のものを海に放流することが防止され、しかも海における放流場所付近の景観が損なうような事態を防止することが可能になる。
【００１３】
（４）  取水路を介して搬送された海水から除塵機によって除去された異物を、所定方向に流れる海水によって貯留槽に搬送し、当該貯留槽において、搬送された異物を水とともに貯留するとともに、貯留された海水内において異物に含まれるくらげが上方に浮かぶことで、異物からくらげが分離され、前記貯留槽に貯留された海水の上部に浮いているくらげを放出させて海に放流することを特徴とするくらげ放流方法。
【００１４】
（４）のくらげ除去方法によれば、除塵機によって除去された異物を水流とともに貯留槽に搬送することにより、貯留槽において生きたくらげは上方に浮揚し、石や貝などは貯留槽内部に沈むことによってくらげが異物から分離され、貯留槽の水面に浮かんでいるくらげは、海に放流されるようになる。したがって、例えば、くらげが大量発生して、取水路から大量のくらげを取り込んでしまい、貯留槽に大量のくらげが搬送された場合に、生きたくらげを生きたまま海に帰すことにより、貯留槽にくらげを大量にかかえてしまうといった事態を回避することが可能になる。しかも、くらげの処理に特別な装置を設ける必要がないため低コスト化を図ることが可能になる。このように、迅速かつ低コストで大量のくらげを処理することが可能になる。
【発明の効果】
【００１５】
本発明によれば、コストや自然環境に配慮したくらげ放流システム及びくらげ放流方法を提供することができる。
【図面の簡単な説明】
【００１６】
【図１】本発明の一実施形態におけるくらげ放流システムの概要を示す説明図である。
【図２】本発明の一実施形態における貯留槽１６の構成及び貯留槽１６から排出された水の放流経路を示す図である。
【図３】本発明の一実施形態におけるくらげ放流システムの配置を示す図である。
【発明を実施するための形態】
【００１７】
以下、本発明の実施形態について、図面を参照しながら詳細に説明する。
図１は本発明の一実施形態におけるくらげ放流システムの概要を示す説明図である。本実施形態のくらげ放流システムは、取水路１０によって搬送される海水から異物を除去する除塵機１２と、除塵機１２によって除去された異物を水流によって搬送する異物搬送水路１４と、異物搬送水路１４から搬送された異物を水とともに貯留する貯留槽１６と、貯留槽１６から放出される水を放出口１８に導く搬送水路２０と、放出口１８を開閉するゲート２２と、放出口１８から排出される水を海に放流する放流路２４とによって構成されている。すなわち、異物搬送水路１４は、異物を海水によって貯留槽１６に搬送する第１水路を構成し、搬送水路２０及び放流路２４は、貯留槽１６から海水とともに放出されるくらげを海に放流する第２水路を構成する。
【００１８】
取水路１０は、直径約４ｍのパイプによって海水を図示しない発電設備に搬送するためのものである。取水路１０の先端には直径約１５ｍの取水口１０ａが設けられており、この取水口１０ａは沖合に配置されている。そして、図示しないポンプを駆動することによって海水が取水路１０の取水口１０ａを介して導入（取水）される。取水路１０による海水の搬送経路の所定位置に除塵機１２が設けられており、この除塵機１２によって異物が除去された海水が発電設備（図３参照）に搬送される。
【００１９】
除塵機１２は、複数のかご部材を水車のように回転させることで海水中の異物をすくい上げるように除去するものである。かご部材は、所定メッシュの網状部材により全部又は一部が形成され、海水と所定以上の大きさである異物とを分離する。
除塵機１２には、除塵機１２に対して海水を供給する除塵ポンプ２６が備えられている。この除塵ポンプ２６は、取水路１０によって搬送される海水の一部を除塵用水路２８に分岐させて、除塵用水路２８の水流を除塵機１２に供給する。除塵ポンプ２６により供給された海水は、異物搬送水路１４における水流をつくる。
除塵機１２が除去した異物は、除塵用水路２８を介して供給された海水によりつくられた水流によって異物搬送水路１４により貯留槽１６へ搬送される。
【００２０】
次に、図２を参照しながら、貯留槽１６の構成及び貯留槽１６から排出された水の放流経路について説明する。
貯留槽１６の縁部の一部には、放出部を構成する放出溝３０が形成されている。また、貯留槽１６の周囲には複数のスリット３２ａが形成されている柵部３２が立設されている。この柵部３２は、貯留槽１６の上部において異物搬送水路１４及び放出溝３０を除く部位に設けられている。また、スリット３２ａは、柵部３２を構成する棒状部材における、隣り合う棒状部材の隙間からなり、上下方向に延びている形状である。柵部３２は、複数のスリット３２ａが等間隔に並列配置されて構成される。また、柵部３２の外周囲には、垂直方向中央部を覆うくらげストッパー３４が設けられている。このくらげストッパー３４は板状部材からなり、柵部３２の下部が開放されるように、貯留槽１６の上縁部から離間して当該上縁部の上方に設けられている。また、貯留槽１６の下部には、図示していないが、貯留槽１６内の海水を放出するための開閉部が設けられている。
【００２１】
そして、貯留槽１６に、海水が異物とともに貯留され、水位が放出溝３０に到達したときに、貯留槽１６の上位の海水が、放出溝３０から放出されるようになる。放出溝３０における海水の放出量が、異物搬送水路１４から供給される海水量よりも少ない場合には、貯留槽１６における海水の水位が上昇し、放出溝３０の位置を越えるようになる。このとき、放出溝３０の位置を越えた海水は、スリット３２ａを通って外部に流出する一方、貯留槽１６内のくらげの移動は規制され、くらげは放出溝３０から海水とともに放出されるようになる。このように、スリット３２ａを有する柵部３２によってフィルタ部が構成される。
【００２２】
本実施形態においては、貯留槽１６の深さは１０００ｍｍ、放出溝３０の幅は４００ｍｍ、高さは２００ｍｍ、スリット３２ａの幅が１５ｍｍ程度に設定されている。すなわち本実施形態においては、比較的小型のくらげが除塵機１２によって除去された場合を想定しているが、本発明はそれに限るものではなく、本発明を設置する海域において発生しやすいくらげの種類に応じて、貯留槽１６のサイズ、放流溝３０の大きさ、スリット３２ａの幅及びその間隔などを適宜設定するのがよい。
【００２３】
貯留槽１６の側方には、貯留槽１６の上縁部に対して垂直方向に低い位置に、貯留槽１６の下部に沈んでいる貝や小石といった異物をコンテナに回収したりするための作業場所が用意されている。さらに貯留槽１６及び作業場所の周囲には、貯留槽１６から放出された海水やくらげを流すための搬送水路２０が形成されている。この搬送水路２０には、放出口１８が形成されており、放出口１８にはゲート２２が設置されている。
【００２４】
ゲート２２は、上下方向に移動させることによって放出口１８を開閉する板状部材である。具体的には、ゲート２２は、放出口１８から海水等が放出される開状態における開位置と、放出されない閉状態における閉位置と、に移動可能に構成される。ゲート２２には、上方側にＴ字バー２２ａが設けられている。Ｔ字バー２２ａは、ゲート２２の上方の壁面に上下方向に並列させた状態で固定されている複数のフック２２ｂに選択的に配置される。Ｔ字バー２２ａ及び複数のフック２２ｂは、ゲート２２の上下方向における位置を調整する調整機構を構成する。フック２２ｂにＴ字バー２２ａを掛けることによって、ゲート２２が搬送水路２０の底面に対して上方に配置され、放出口１８が下方から開放される。なお、放出口１８の開放量は、Ｔ字バー２２ａを掛けるフック２２ｂ適宜変更することによって、調整することが可能となる。
【００２５】
ゲート２２の上方には、水を噴霧するスプレー装置４０が設けられている。このスプレー装置４０の噴霧方向は、搬送水路２０におけるゲート２２付近の水面に設定されている。そして、スプレー装置４０が、ゲート２２付近に集まる泡に対して霧を吹き付けることによって泡が潰され、消滅するようになる。なお、スプレー装置４０が噴射する水は、淡水でも海水でもよい。また、スプレー装置４０が噴射する水に、消臭効果を有する天然成分の液体を加えてもよい。
【００２６】
次に、異物の搬送についてより詳細に説明する。
取水路１０から海水とともにくらげや小石、魚介類等の異物が搬入された場合には、これらの異物は、除塵機１２によって除去され、水流によって貯留槽１６に搬送されて、貯留槽１６に貯留される。この時、生きているくらげは傘を開いたり閉じたりすることで水面側に浮揚し、貯留槽１６の底部には、死んだくらげあるいは小石や貝類といった浮揚性のないものが蓄積される。
【００２７】
貯留槽１６の海水は、貯留槽１６の上部に形成された放出溝３０を介して放出される。このとき、生きたくらげは水面付近に浮揚することから、貯留槽１６の上部に移動するようになる。このため、貯留槽１６内の海水が放出溝３０を介して搬送水路２０に放出された時に、同時に生きたくらげが搬送水路２０に放出されるようになり、貯留槽１６下部に蓄積される異物は貯留槽１６に残される。そして、ゲート２２を上方に移動させて放出口１８を開放することにより、搬送水路２０の海水は、搬送水路２０内に生きたくらげとともに、放出口１８に向かって移動する。
【００２８】
ところで、搬送水路２０の海水の水面には、茶色い泡が浮かんでいる場合があり、この茶色い泡も放出口１８に向かって移動する。このため、ゲート２２を開放している時には、これらの茶色い泡を消滅させるために、スプレー装置４０を作動させて霧吹きを行っている。また、ゲート２２による放出口１８の開放量は、搬送水路２０の底面から水面までの高さよりも若干低くなるように設定するのが望ましい。これにより、ゲート２２の下端部が水面より若干下方に位置するようになる。言い換えれば、搬送水路２０の海水の水面にゲート２２の下端部が浸るようになる。これにより、水面に浮いている茶色い泡が、放流路２４に移送されないようにゲート２２によってブロックされ、茶色の泡がゲート２２の搬送水路２０側に集まった状態となる。
【００２９】
そして、スプレー装置４０から噴射された霧によって、放出口１８の直前で茶色い泡が消滅するようになる。これにより、搬送水路２０の海水及び生きたくらげが放出口１８を介して放流路２４に移送され、再び海に帰される。
【００３０】
図３は、海水の導入経路及び海水から除去されたくらげの放流経路を示す説明図である。図３に示すように、火力発電所における各種の施設、例えば、ボイラーや煙突、ＬＮＧタンク等は、海に面した場所に設置されており、特に、除塵機１２及び貯留槽１６は、海辺に近い場所に設置されている。沖合から取水路１０を介して導入された海水は、除塵機１２によって異物が取り除かれて、発電施設（ボイラー）へと搬送される。除塵機１２によって取り除かれた異物の中で、生きたくらげは、図２に示す貯留槽１６によって、他の異物と分離され、再び海に放流される。ここで、除塵機１２及び貯留槽１６は、海辺に近いことから、除塵機１２によって除去されたくらげが、海に放流するまでの搬送距離が短く、また、貯留槽１６においては、浮いているくらげを優先して放流するため、生きたくらげを迅速に海に放流することが可能となる。また、取水路１０による海水の導入場所と、くらげの放流場所が大きく離れているため、放流したくらげを再度取り込んでしまうことはない。
【００３１】
以上説明したように構成された本実施形態によれば、除塵機１２によって除去された異物を水流とともに貯留槽１６に搬送することにより、異物として除去されたくらげを生きた状態で貯留槽１６に送ることが可能になる。また、貯留槽１６において生きたくらげは浮遊（浮揚した後）し、石や貝類、死んだくらげなどは貯留槽１６内部に沈むようになり、生きたくらげが放出溝３０及び搬送水路２０、放流路２４を通って海に放流されるようになる。したがって、くらげが取水した海水とともに取り込まれた場合には、生きたくらげを生きたまま海に帰すことができることにより、無理に回収して処理を行う必要がなくなる。これにより、くらげの処理に係る費用を低減することが可能になる。また、海から採取されたくらげを生きた状態で再び海に戻すので、自然環境に配慮したシステム、方法であるといえる。
【００３２】
また、本実施形態によれば、貯留槽１６に大量のくらげが搬送された場合に、柵部３２のフィルタ機能によって、海水のみが通過するとともに、くらげは放出部（放出溝３０）を移動するようになる。これにより、貯留槽内の水位が、放出溝３０を越えた場合には、柵部３２から海水が放出され、その結果、貯留槽１６内の水位を安定させることが可能となる。また、くらげは放出溝３０を通るようになり、搬送水路２０へ確実に移送することが可能になる。
【００３３】
また、本実施形態によれば、除塵機１２によって除去されたくらげを大量にかかえてしまい、やがてくらげが死んでしまい、死骸の処理に困るといった事態を回避することが可能であるため、死んだくらげの処理のために特別な装置を設ける必要がなくなり、低コスト化を図ることが可能になる。
【００３４】
また、くらげから発生する茶色い泡は消滅しにくく、しかもその泡はゲート２２に向かって水流によって搬送されるため、ゲートにおいて溜まりやすくなるが、スプレー装置４０によって水を泡に向かって噴霧することにより、泡を効率的に消滅させることが可能になる。これにより、ゲート２２付近の状況を視認しやすくするとともに、泡を海に放流することが防止されるため、放流場所付近の海の景観が損なうような事態を防止することが可能になる。しかも、泡の移動がゲート２０によってブロックされるため、ゲート２２付近に泡を集めることが可能となり、泡をさらに効率的に消滅させることが可能になる。
【００３５】
以上、本発明の一実施形態について説明したが、本発明は、上述した実施形態に限るものではない。例えば、放流溝３０に対して鉄板が着脱可能になるように構成し、放流溝３０からの海水の放出量を調整できるようにしてもよい。
【符号の説明】
【００３６】
１０  取水路
１２  除塵機
１４  異物搬送水路
１６  貯留槽
１８  放出口
２０  搬送水路
２２  ゲート
２２ａ  Ｔ字バー
２２ｂ  フック
２４  放流路
２６  除塵ポンプ
２８  除塵用水路
３０  放出溝
３２  柵部
３４  くらげストッパー
４０  スプレー装置
【図１】
2010270560.tif 000003
【図２】
2010270560.tif 000004
【図３】
2010270560.tif 000005